(57)【要約】      （修正有）【課題】コネクター間に十分な結合力を提供するとともに、良好な外観を有するコネクター組み立て構造を提供する。【解決手段】回路板と、第１コネクターと、第２コネクターと、熱収縮スリーブ１４０とを含むコネクター組み立て構造１００である。第１コネクター１２０が回路板１１０上に固定されるとともに、少なくとも１つの突出物１２６を有する。第２コネクターが第１コネクターに組み立てられる。熱収縮スリーブが第１コネクターおよび第２コネクターをしっかりと被覆するものであり、そのうち、突出物が熱収縮スリーブおよび第１コネクター間の相対移動を制限する。【選択図】図２
0003135173.tif 000002
【実用新案登録請求の範囲】
【請求項１】
回路板と；
前記回路板上に固定されるとともに、少なくとも１つの突出物を有する第１コネクターと；
前記第１コネクターに組み立てられる第２コネクターと；
前記第１コネクターおよび前記第２コネクターをしっかりと被覆する熱収縮スリーブと
を含むものであり、そのうち、前記突出物が前記熱収縮スリーブおよび前記第１コネクター間の相対移動を制限するものであるコネクター組み立て構造。
【請求項２】
前記コネクター組み立て構造が、さらに、その一端を前記第２コネクターに接続するケーブルを含み、前記熱収縮スリーブが更に前記ケーブルの前記第２コネクターに近い部分を被覆するものである請求項１記載のコネクター組み立て構造。
【請求項３】
前記ケーブルが、電池ケーブルである請求項１記載のコネクター組み立て構造。
【請求項４】
前記第１コネクターが、絶縁本体を有し、前記絶縁本体が突出部分を有して前記突出物を構成するものである請求項１記載のコネクター組み立て構造。
【請求項５】
前記第１コネクターが、金属端子を有し、前記金属端子が湾曲部分を有して前記突出物を構成するものである請求項１記載のコネクター組み立て構造。
【考案の詳細な説明】
【技術分野】
【０００１】
この考案は、コネクター組み立て構造に関し、特に、結合強度を向上させるコネクター組み立て構造に関する。
【背景技術】
【０００２】
電子装置の回路板は、通常、ケーブルにより電子装置の他の電子モジュール、例えば、電池モジュールまたはディスプレイなどと電気的に接続される。ケーブルの一端が電子モジュールに接続され、ケーブルの他端がコネクターにより回路板上の別のコネクターに電気的に接続することができる。
【０００３】
従って、これら２つのコネクターを組み立てる時、これらのコネクターの金属端子が相互に干渉して弾力性を生じるので、これら１対のコネクター間の相対移動を制限するため、電子モジュールがケーブルによって回路板と互いに電気的な接続を確保することができる。
【０００４】
図１（Ａ）から図１（Ｂ）は、従来のコネクター組み立て構造の組み立て過程を示す斜視図である。図１（Ａ）から図１（Ｂ）において、コネクター２０およびコネクター３０によりケーブル５０の一端を回路板１０に電気的に接続することができる。コネクター２０は、絶縁本体２２と、多数本の絶縁本体２２外部に露出された金属端子２４とを含むとともに、これらの金属端子２４の底部が回路板１０上に溶接されている。
【０００５】
別なコネクター３０は、絶縁本体３２と、多数本の絶縁本体３２内部に設けられた金属端子（図示せず）とを含み、ケーブル５０が多数本の導線５２を含んで、その末端をそれぞれコネクター３０のこれらの金属端子に結合して、コネクター３０をケーブル５０の一端に接続している。
【０００６】
コネクター３０をコネクター２０に組み立てた後、コネクター３０のこれらの金属端子がそれぞれコネクター２０の多数の金属端子２４と相互接触することによって、ケーブル５０の一端を回路板１０と電気的に接続させることができる。
【０００７】
しかしながら、これらコネクターの金属端子が相互に構造干渉により発生させる弾力性は、これらコネクター間の結合を確保するには不十分なものである。一旦、ケーブルが過度な外力の引っ張りを受けると、これらのコネクターが分離してしまうので、電子モジュールおよび回路板間の電気的な接続が中断されてしまうものとなる。
【０００８】
従って、このような状況を改善するために、スポット接着を利用してこれらコネクターの絶縁本体の相対位置を固定してきた。但し、スポット接着により形成された接着体は、これらコネクターの外観を損なうとともに、修理をする時にこれらのコネクターを分離するのに不利なものとなってしまう。
【考案の開示】
【考案が解決しようとする課題】
【０００９】
この考案は、２つのコネクター間に十分な結合力を提供するコネクター組み立て構造を提供するものである。さらに、この考案は、２つのコネクターが組み立て後に良好な外観を有するコネクター組み立て構造を提供するものである。
【課題を解決するための手段】
【００１０】
この考案は、回路板と、第１コネクターと、第２コネクターと、熱収縮スリーブとを含むコネクター組み立て構造を提供する。第１コネクターが回路板上に固定されるとともに、少なくとも１つの突出物を有する。第２コネクターが第１コネクターに組み立てられる。熱収縮スリーブが第１コネクターおよび第２コネクターをしっかりと被覆するものであり、そのうち、突出物が熱収縮スリーブおよび第１コネクター間の相対移動を制限する。
【００１１】
上記に基づいて、この考案は、熱収縮スリーブにより２つの既に組み立てられたコネクターをしっかりと被覆して大きな結合力を提供し、２つのコネクターの分離を防止する。
【考案の効果】
【００１２】
この考案は、熱収縮スリーブにより２つの既に組み立てられたコネクターをしっかりと被覆して、大きな結合力を提供し、２つのコネクターの分離を防止する。また、熱収縮スリーブが加熱されて熱収縮した後には、良好な外観を呈するものである。さらに、熱収縮スリーブはコストが低く、組み立てコストをあまり増大させない。
【考案を実施するための最良の形態】
【００１３】
以下、この考案を実施するための最良の形態を図面に基づいて説明する。
図２（Ａ）から図２（Ｃ）は、この考案の実施形態にかかるコネクター組み立て構造の組み立て過程を示す斜視図である。図２（Ａ）から図２（Ｃ）において、コネクター組み立て構造１００は、回路板１１０を含んでいるが、その一部分だけを代表するものとして表している。
【００１４】
コネクター組み立て構造１００は、さらに、第１コネクター１２０を含んでおり、それが回路板１１０上に固定されている。この実施形態において、第１コネクター１２０は、絶縁本体１２２と、多数本の絶縁本体１２２外部に露出された金属端子１２４とを含み、そのうち、これらの金属端子１２４に底部が回路板１１０上に溶接されている。
【００１５】
コネクター組み立て構造１００は、さらに、第２コネクター１３０を含んでおり、それが第１コネクター１２０に結合できる。この実施形態において、第２コネクター１３０は、絶縁本体１３２と、多数本の絶縁本体１３２内部に設けられた金属片（図示せず）を含んでいる。
【００１６】
この実施形態では、コネクター組み立て構造１００は、さらに、ケーブル１５０、例えば、電池ケーブルを含み、その一端が第２コネクター１３０に接続され、他端が電子モジュール（図示せず）、例えば、電池モジュールに接続される。ケーブル１５０は、多数の導線１５２を含み、その末端がそれぞれ第２コネクター１３０のこれらの金属端子と結合されて、第２コネクター１３０をケーブル１５０の一端に接続する。
【００１７】
従って、第２コネクター１３０を第１コネクター１２０と組み立てた後、第２コネクター１３０のこれらの金属端子がそれぞれ第１コネクター１２０のそれらの金属端子１２４と相互接触され、ケーブル１５０の一端が回路板１１０と電気的に接続できる。
【００１８】
第１コネクター１２０および第２コネクター１３０間の結合を確保し、外力を受けても分離し難くするために、コネクター組み立て構造１００は、さらに、熱収縮スリーブ１４０を含んでおり、そのうち、図２（Ａ）および図２（Ｂ）には、熱収縮スリーブ１４０が収縮する前の外観を示している。また、第１コネクター１２０は、さらに、少なくとも１個の突出物１２６を有するものである。この実施形態において、第１コネクター１２０は、多数個の突出物１２６を備えている。この実施形態において、これらの突出物１２６は、それぞれ多数の金属端子１２４の湾曲部分から構成される。
【００１９】
図２（Ｂ）において、第２コネクター１３０が第１コネクター１２０に組み立てられ、かつ熱収縮スリーブ１４０が第１コネクター１２０および第２コネクター１３０の外周を包囲した後、熱収縮スリーブ１４０に対して熱エネルギーを加えることにより、図２Ｃに示したように、収縮後の熱収縮スリーブ１４０が第１コネクター１２０および第２コネクター１３０をしっかりと被覆することができるようになる。この実施形態では、熱収縮スリーブ１４０が更にケーブル１５０の第２コネクター１３０に近い部分を被覆する。
【００２０】
従って、突出物１２６は、垂直方向において熱収縮スリーブ１４０および第１コネクター１２０間の相対移動を制限することができるので、第２コネクター１３０および第１コネクター１２０間の相対移動を制限する。
【００２１】
図３は、この考案の別な実施形態にかかるコネクター組み立て構造の突出物を示す斜視図である。図３において、この実施形態にかかる多数個の突出物１２６Ａもまたそれぞれ多数の金属端子１２４Ａの湾曲部分から構成される。図２（Ａ）の実施形態にかかるこれらの突出物１２６が、これら絶縁本体１２２中央に位置する金属片１２４の湾曲部分から突出物１２６を形成していることと比較すると、図３の実施形態にかかるこれらの突出物１２６Ａは、これら絶縁本体１２２Ａ両端に位置する金属片１２４Ａの湾曲部分から形成されている。
【００２２】
図４は、この考案のまた別な実施形態にかかるコネクター組み立て構造の突出物を示す斜視図である。図４において、この実施形態にかかる多数個の突出物１２６Ｂもまたそれぞれ多数の金属端子１２４Ｂの湾曲部分から構成される。図３の実施形態にかかるこれらの突出物１２６Ａが、絶縁本体１２２Ａの両側（サイド）から水平に突出していることと比較すると、図４の実施形態にかかるこれらの突出物１２６Ｂは、絶縁本体１２２Ｂの両端（エンド）から水平に突出している。
【００２３】
図５は、この考案の更に別な実施形態にかかるコネクター組み立て構造の突出物を示す斜視図である。図５において、図４の実施形態にかかるこれらの突出物１２６Ｂが、これら金属端子１２４Ｂの湾曲部分から構成されることと比較すると、この実施形態の多数の突出物１２６Ｃは、それぞれ絶縁本体１２２Ｃの多数本の突出部分から構成されている。注意すべきは、この考案において、突出物の数量・突出方向は、上記した実施形態に限定されるものではなく、この考案では、突出物の設置を介して熱収縮スリーブおよび第１コネクター間の相対移動を制限することができるので、第２コネクターおよび第１コネクター間の相対移動を制限することである。
【００２４】
以上のごとく、この考案を好適な実施例により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案登録請求の範囲および、それと均等な領域を基準として定めなければならない。
【図面の簡単な説明】
【００２５】
【図１】（Ａ）（Ｂ）は、従来のコネクター組み立て構造の組み立て過程を示す斜視図である。
【図２】（Ａ）（Ｂ）（Ｃ）は、この考案の実施形態にかかるコネクター組み立て構造の組み立て過程を示す斜視図である。
【図３】この考案の別な実施形態にかかるコネクター組み立て構造の突出物を示す斜視図である。
【図４】この考案のまた別な実施形態にかかるコネクター組み立て構造の突出物を示す斜視図である。
【図５】この考案の更に別な実施形態にかかるコネクター組み立て構造の突出物を示す斜視図である。
【符号の説明】
【００２６】
１０  回路板
２０  第１コネクター
２２  絶縁本体
２４  金属端子
３０  第２コネクター
５０  ケーブル
５２  導線
１００  コネクター組み立て構造
１１０  回路板
１２０  第１コネクター
１２２  絶縁本体
１２２Ａ  絶縁本体
１２２Ｂ  絶縁本体
１２２Ｃ  絶縁本体
１２４  金属端子
１２４Ａ  金属端子
１２４Ｂ  金属端子
１２６  突出物
１２６Ａ  突出物
１２６Ｂ  突出物
１２６Ｃ  突出物
１３０  第２コネクター
１３２  絶縁本体
１４０  熱収縮スリーブ
１５０  ケーブル
１５２  導線
【図１】
0003135173.tif 000003
【図２】
0003135173.tif 000004
【図３】
0003135173.tif 000005
【図４】
0003135173.tif 000006
【図５】
0003135173.tif 000007